(57)【特許請求の範囲】
【請求項１】
信号を送受信する送受信部と、数字データを入力する入力部と、入力された数字を表示する表示部と、時間を計数するタイマと、前記入力部より入力された数字データを読み取って表示パターンに変換し前記表示部に出力する制御部とを有する通信端末であって、
前記入力部からの電話番号の入力において、前記制御部は、所定の数字が入力されると、入力された数字データを通常の数字表示パターンで前記表示部に出力すると共にタイマをスタートさせ、次の数字データが入力されるまでに、タイマ時間が特定時間以上あけられた場合には、前記入力された数字データを通常の数字表示パターンよりも大きい大文字数字表示パターンに変換して前記表示部に出力すると共に次に入力された数字データを通常の数字表示パターンで前記表示部に出力し、タイマ時間が特定時間以上あけられずに前記入力部から数字データが入力された場合には、前記表示部に出力された数字データの大文字数字表示パターンを変化させずに、次に入力された数字データを通常の数字表示パターンで前記表示部に出力する処理を繰り返し、所定の桁数入力された数字データを前記送受信部を介して送信することを特徴とする通信端末。
【請求項２】
信号を送受信する送受信部と、数字データを入力する入力部と、入力された数字を表示する表示部と、時間を計数するタイマと、前記入力部より入力された数字データを読み取って表示パターンに変換し前記表示部に出力する制御部とを有する通信端末であって、
前記入力部からの電話番号の入力において、前記制御部は、所定の数字が入力されると、入力された数字データを通常の数字表示パターンで前記表示部に出力すると共にタイマをスタートさせ、次の数字データが入力されるまでに、タイマ時間が特定時間以上あけられた場合には、前記入力された数字データを通常の数字表示パターンと異なるブリンク表示パターンに変換して前記表示部に出力し、タイマ時間が特定時間以上あけられずに前記入力部から数字データが入力された場合には、前記表示部に出力された数字データの数字表示パターンを変化させずに、次に入力された数字データを通常の数字表示パターンで前記表示部に出力する処理を繰り返し、所定の桁数入力された数字データを前記送受信部を介して送信することを特徴とする通信端末。
【請求項３】
信号を送受信する送受信部と、数字データを入力する入力部と、入力された数字を表示する表示部と、時間を計数するタイマと、前記入力部より入力された数字データを読み取って表示パターンに変換し前記表示部に出力する制御部とを有する通信端末であって、
前記入力部からの電話番号の入力において、前記制御部は、前記入力部のキーが押下され、当該キーが特定時間以上継続して押下された場合には、当該入力された数字データを通常の数字表示パターンよりも大きい大文字数字表示パターンに変換して前記表示部に出力し、当該キーが特定時間内に開放された場合には、入力された表示データを通常の数字パターンに変換して前記表示部に出力する処理を繰り返し、所定の桁数入力された数字データを前記送受信部を介して送信することを特徴とする通信端末。
【請求項４】
信号を送受信する送受信部と、数字データを入力する入力部と、入力された数字を表示する表示部と、時間を計数するタイマと、前記入力部より入力された数字データを読み取って表示パターンに変換し前記表示部に出力する制御部とを有する通信端末であって、
前記入力部からの電話番号の入力において、前記制御部は、前記入力部のキーが押下され、当該キーが特定時間以上継続して押下された場合には、当該入力された数字データを通常の数字表示パターンと異なるブリンク表示パターンに変換して前記表示部に出力し、当該キーが特定時間内に開放された場合には、入力された表示データを通常の数字パターンに変換して前記表示部に出力する処理を繰り返し、所定の桁数入力された数字データを前記送受信部を介して送信することを特徴とする通信端末。
【発明の詳細な説明】
【０００１】
【発明の属する技術分野】
本発明は、電話番号、ＦＡＸ番号等を表示する機能を有する電話機、携帯電話、ＦＡＸ機等の通信端末、特に入力された番号を見易く表示し、番号確認を容易にした通信端末に関する。
【０００２】
【従来の技術】
電話機、携帯電話、ＦＡＸ機等の通信端末を利用する場合、利用者は、送信先の番号を入力部から入力する。入力部から入力された数字データは制御部によって表示部に表示されるが、従来の通信端末における番号表示は図６に示すように表示される。図６は、国番号、市外番号、地域番号、追い番号を入力した場合で、入力された１０桁の数字がそのまゝ同一の大きさで連続して表示されるようになっている。
【０００３】
【発明が解決しようとする課題】
上記従来の通信端末では、電話、ファックスするとき名刺、メモ等から番号を入力するが、入力された数字はそのまゝ１０桁位がそのまゝ連続して並べて表示されるため、読み難く、手帳、名刺、メモ等と照合して番号を確認するのも困難であり、入力ミスを招きやすいという問題があった。番号違があっては先方に失礼になるので、時間をかけると時間オーバーになり表示が消えてしまい、急いでいる時などは尚更やりずらかった。
【０００４】
また、携帯電話機等は小型化され、今後さらに小型化が益々進むものと思われる。また、これは数字を入力して送るページャー受信機においても同じことが云える。
【０００５】
本発明の目的は、上記従来の問題を解決するために、入力された番号を見易く表示し、番号確認を容易にし、入力ミスを無くすことができる通信端末の提供にある。
【０００６】
【課題を解決するための手段】
上記の目的は、信号を送受信する送受信部と、数字データを入力する入力部と、入力された数字を表示する表示部と、時間を計数するタイマと、前記入力部より入力された数字データを読み取って表示パターンに変換し前記表示部に出力する制御部とを有する通信端末であって、前記入力部からの電話番号の入力において、前記制御部は、所定の数字が入力されると、入力された数字データを通常の数字表示パターンで前記表示部に出力すると共にタイマをスタートさせ、次の数字データが入力されるまでに、タイマ時間が特定時間以上あけられた場合には、前記入力された数字データを通常の数字表示パターンよりも大きい大文字数字表示パターンに変換して前記表示部に出力すると共に次に入力された数字データを通常の数字表示パターンで前記表示部に出力し、タイマ時間が特定時間以上あけられずに前記入力部から数字データが入力された場合には、前記表示部に出力された数字データの大文字数字表示パターンを変化させずに、次に入力された数字データを通常の数字表示パターンで前記表示部に出力する処理を繰り返し、所定の桁数入力された数字データを前記送受信部を介して送信することによって達成される。
また上記目的は、信号を送受信する送受信部と、数字データを入力する入力部と、入力された数字を表示する表示部と、時間を計数するタイマと、前記入力部より入力された数字データを読み取って表示パターンに変換し前記表示部に出力する制御部とを有する通信端末であって、前記入力部からの電話番号の入力において、前記制御部は、所定の数字が入力されると、入力された数字データを通常の数字表示パターンで前記表示部に出力すると共にタイマをスタートさせ、次の数字データが入力されるまでに、タイマ時間が特定時間以上あけられた場合には、前記入力された数字データを通常の数字表示パターンと異なるブリンク表示パターンに変換して前記表示部に出力し、タイマ時間が特定時間以上あけられずに前記入力部から数字データが入力された場合には、前記表示部に出力された数字データの数字表示パターンを変化させずに、次に入力された数字データを通常の数字表示パターンで前記表示部に出力する処理を繰り返し、所定の桁数入力された数字データを前記送受信部を介して送信することによって達成される。
【０００７】
また上記の目的は、信号を送受信する送受信部と、数字データを入力する入力部と、入力された数字を表示する表示部と、時間を計数するタイマと、前記入力部より入力された数字データを読み取って表示パターンに変換し前記表示部に出力する制御部とを有する通信端末であって、前記入力部からの電話番号の入力において、前記制御部は、前記入力部のキーが押下され、当該キーが特定時間以上継続して押下された場合には、当該入力された数字データを通常の数字表示パターンよりも大きい大文字数字表示パターンに変換して前記表示部に出力し、当該キーが特定時間内に開放された場合には、入力された表示データを通常の数字パターンに変換して前記表示部に出力する処理を繰り返し、所定の桁数入力された数字データを前記送受信部を介して送信することによって達成される。
また上記目的は、信号を送受信する送受信部と、数字データを入力する入力部と、入力された数字を表示する表示部と、時間を計数するタイマと、前記入力部より入力された数字データを読み取って表示パターンに変換し前記表示部に出力する制御部とを有する通信端末であって、前記入力部からの電話番号の入力において、前記制御部は、前記入力部のキーが押下され、当該キーが特定時間以上継続して押下された場合には、当該入力された数字データを通常の数字表示パターンと異なるブリンク表示パターンに変換して前記表示部に出力し、当該キーが特定時間内に開放された場合には、入力された表示データを通常の数字パターンに変換して前記表示部に出力する処理を繰り返し、所定の桁数入力された数字データを前記送受信部を介して送信することによって達成される。
【０００８】
上記の手段によると、入力部を利用して利用者が電話番号等を入力するとき、所要の区切り目で入力間隔を特定時間以上間を取って入力することにより、その時間間隔直前の入力数字が他より大きくもしくは他と異なるブリンク表示で表示され、電話番号の区切りが見易く、番号確認を容易にする。
【０００９】
また、キー入力を利用して利用者が電話番号等を入力するとき、所要の区切り目で入力押下時間を特定時間以上長く押下すると、当該入力数字が他より大きくもしくは他と異なるブリンク表示で表示され、電話番号の区切りが見易く、番号確認を容易にする。
【００１０】
【発明の実施の形態】
以下、本発明の実施の形態を図面により説明する。
【００１１】
図１は、本発明の一実施形態の通信端末の概略構成を示し、信号を送受信する送受信部１と、数字等を入力する入力部２と、入力された数字を表示する表示部４と、入力部２から入力された数字データを読み取って表示パターンに変換し表示部４に出力する表示処理等を行なう制御部３とから構成されている。なお制御部３はタイマを具備して、タイマにより動作する。
【００１２】
制御部３は入力部２から入力された数字データを表示部４に表示する数字パターンに変換処理して表示部４に出力する。すなわち、制御部３は入力部２のキーボタン「１」が押下された場合、キーボタン「１」から出力されたデータを読み取り、対応する数字パターン「１」に変換して表示部４に出力するものである。
【００１３】
図２は、その数字パターンへの変換処理を示し、入力部２からある数字が入力されてから次の数字が入力されるまでに、特定時間（例えば０．５秒）以上の時間があけられた場合、そのあけられた時間間隔直前の入力数字データを他よりも大きい数字表示パターンに変換して表示させる。図２において、「１」、「３」、「５」、「９」は大文字で表示され、例えば、電話番号の入力において、「０１」の国番号を入力した後「０１２３」の市外番号を入力するとき、市外番号の頭の「０」を入力する間隔を０．５秒以上あけると、その直前の国番号の末尾の「１」が大文字に変換されて表示される。また、地域番号「４５」の頭の「４」を入力するとき間隔を０．５秒以上あけると、市外番号の末尾「３」が大文字で表示され、さらに追い番号「６７８９」の「６」を入力するとき間隔を０．５秒以上あけると地域番号の「５」が大文字で表示される。
【００１４】
また、これは大文字に変換表示する以外に図３に示すように他の数字と異なるブリンク表示に変換して表示されるようにしてもよい。
【００１５】
このような国番号、市外番号、地域番号、追い番号の末尾の数字を大文字或はブリンク表示にすることによって、番号を読み取り易くなり、手帳、メモ等と照合して確認し易く、入力ミスを防ぐことができる。
【００１６】
図４は、制御部３の前記変換処理を示すフローチャートである。入力部２から入力があるかどうかをチェックし（１０１）、入力があると、制御部３はタイマリセットしてスタートさせる（１０２）。そして、次の入力があるかどうかをチェックし（１０３）、入力があった場合は、制御部３はステップ１０１で入力した数字データを通常の数字パターンに変換して表示部４に出力表示させ（１０４）、ステップ１０２に戻ってタイマをスタートさせる。ステップ１０３において次の入力がなく、タイマ時間が予め設定された特定時間（０．５秒）以上経過した場合（１０５）は、制御部３はステップ１０１で入力された数字データを大文字の数字表示パターンに変換して表示部４に表示させる（１０６）。
【００１７】
このように、制御部３が、ある数字が入力されてから次の数字が入力されるまでの間隔をカウントし、それが設定した特定時間以上である場合には、その時間間隔直前の入力数字データを大文字で表示されるようにデータ変換しているので、利用者が番号の区切り目で間を取って入力を行なうだけで番号の区切り目が大文字表示で見易い表示を行なうことができる。また制御部３の変換を時間間隔が特定時間以上になつた場合にブリンク表示に変換して表示するソフトプログラムを備えたものでもよい。
【００１８】
図５は、本発明の他の実施形態の制御部３の変換処理のフローチャートである。この実施形態では、キー入力部の数字入力の押下時間を特定時間以上継続させた場合に、当該数字データを大文字もしくはブリンク表示に変換して表示させるものである。
【００１９】
制御部３は、入力部２のキーが押下されたかどうかを判断して（２０１）、キーが押下された場合、次にキーが開放されたかどうかを判断する（２０２）。キーが開放された場合は、制御部３はステップ２０１で入力された数字データを表示パターンに変換して表示部４に出力し数字表示させる（２０３）。また、ステップ２０２でキーが開放されずに、キー押下時間が連続して特定時間（例えば０．５秒）以上経過した場合（２０４）は、制御部３はステップ２０１で入力した数字データを拡大表示パターンに変換して表示部４に大文字で数字表示させる（２０５）。数字表示（２０３）及び拡大数字表示（２０５）処理が終ると始めのステップ２０１に戻る。
【００２０】
このように、制御部３は、キー入力部２が入力する数字データが短時間の内にキー押下開放される場合は通常の大きさの表示パターンに変換して表示部４に表示させ、数字データを入力するキーの押下時間が設定した特定時間以上連続する場合は、その数字データを拡大数字表示パターンに変換して表示部４に表示させるので（図２）、利用者は、入力する番号の区切り目の数字入力を長めにキー押下させることにより拡大数字表示ができ、入力した電話番号等を見易く表示させることができる。
【００２１】
また、制御部３のデータ変換をキー押下時間が特定時間以上長い場合はブリンク表示に変換するようにソフトプログラムを構成しておくことにより、区切り目の数字入力をキー押下時間の調整によってブリンク表示にすることができ、電話番号等を見易く表示させることができる。
【００２２】
なお、携帯電話機、電話機、ＦＡＸ機等において、入力した番号を送受信部１から送信するときは、送受信部１は他の文字より大きい表示、他の文字と異なるブリンク表示を無視して数字データのみを送信する。
【００２３】
【発明の効果】
以上のように本発明によれば、電話番号等の入力時に、番号の区切り目で特定時間以上の間を取って入力することにより、容易に番号の区切り目の数字を大文字もしくはブリンク表示で表示することができる。
【００２４】
また、入力キーの押下時間を、番号の区切り目で特定時間以上押下し続けることにより、番号の区切り目の数字を大文字もしくはブリンク表示で表示させることができる。これにより手帳や名刺等との番号照合が容易にでき、番号の入力ミスを防ぐことができる。
【図面の簡単な説明】
【図１】本発明の一実施形態の通信端末の概略構成図。
【図２】本発明による番号表示例の説明図。
【図３】本発明による他の番号表示例の説明図。
【図４】本発明の一実施形態の通信端末の処理フローチャート。
【図５】本発明の一実施形態の通信端末の他の処理フローチャート。
【図６】従来の番号表示例の説明図。
【符号の説明】
１…送受信部、２…入力部、３…制御部、４…表示部。
【図１】
0003888758.tif 000002
【図２】
0003888758.tif 000003
【図３】
0003888758.tif 000004
【図４】
0003888758.tif 000005
【図５】
0003888758.tif 000006
【図６】
0003888758.tif 000007